(57)【要約】【課題】屈曲可能な支持部に支持された被支持物の回動が規制されず、また、被係止物に確実に係止でき、係止時に強い力を必要としない支持具、及びこの支持具と遮光板とを備える日除け器具の提供。【解決手段】雄部及び雌部を有する複数の連結部材６０を連結して揺動及び回動可能とした屈曲体６を備えた支持部２と、係止部３と、一端部を係止部３に取り付けてあり、他端部に面ファスナを有する係止ベルト４とを支持具１は備えた。また、雄部は球状をなし、雌部は嵌合穴を有し、嵌合穴の開口部の内径は雄部の外径より小さく、深さは雄部の半径より大きく、かつ直径より小さくした。また、係止部に２つの掴持片からなる掴持部材と、掴持片に係合するねじ軸とを備えた。また、日除け器具は、遮光板と支持具１とを備えた。【選択図】        図１
2004322848.tif 000002
【特許請求の範囲】
【請求項１】
被係止物に係止する係止部に凸設された屈曲可能な支持部の先端部に被支持物を支持する支持具において、
一側に雄部が設けられ、他側に雌部が設けられた複数の連結部材を、一の連結部材の前記雄部を他の連結部材の前記雌部に連結して相互に揺動及び回動可能とした屈曲体を前記支持部に備えることを特徴とする支持具。
【請求項２】
前記雄部は、球状をなしており、
前記雌部は、前記雄部の形状に対応した嵌合穴を有しており、
該嵌合穴の開口部の内径は、前記雄部の直径より小さく、
前記嵌合穴の深さの寸法は、前記雄部の直径より短く、かつ前記雄部の半径より長いことを特徴とする請求項１に記載の支持具。
【請求項３】
一端部を前記係止部に取り付けてあり、他端部に面ファスナを有する係止ベルトを備えることを特徴とする請求項１又は２に記載の支持具。
【請求項４】
貫通孔が穿設された第１掴持片及び螺合部を有する第２掴持片を備え、前記第１掴持片及び第２掴持片間に前記被係止物を掴持する掴持部材と、一端部が前記貫通孔を挿通して前記第１掴持片に係合しており、他端部が前記螺合部に螺合したねじ軸とを前記係止部に備えることを特徴とする請求項１又は２に記載の支持具。
【請求項５】
請求項１乃至４の何れかに記載の支持具と、該支持具に支持される遮光板とを備えることを特徴とする日除け器具。
【発明の詳細な説明】
【０００１】
【発明の属する技術分野】
本発明は、被係止物に係止する係止部に凸設された屈曲可能な支持部の先端部に被支持物を支持する支持具、及び支持具と遮光板とを備える日除け器具に関する。
【０００２】
【従来の技術】
被係止物に係止する係止部に凸設された屈曲可能な支持部の先端部に被支持物を支持する支持具が従来からある。
【０００３】
このような支持具を備える日除け器具として、バネ体の付勢力により被取付体を掴持する掴持部、及び屈曲可能な芯材にゴム製の蛇腹状をなす弾性チューブが外嵌されたフレキシブルシャフトを有する支持体と、この支持体に支持される遮光板とを備えるものがある（例えば、特許文献１参照。）。
【０００４】
支持具となる前記支持体は、掴持部により、ベビーカーの手押し部又は自動車の車室内に設けられたグラブレール等の被取付体に取り付けることができると共に、フレキシブルシャフトを曲げたり、捩ったりすることにより被取付体への取付位置を変えることなく遮光板の位置及び角度を変えることができる。
【０００５】
【特許文献１】
特開２０００−３２６７２６号公報
【０００６】
【発明が解決しようとする課題】
しかしながら、特許文献１に開示された支持体のフレキシブルシャフトは、遮光板をフレキシブルシャフトの軸心回りに回動した場合、フレキシブルシャフトが捩れて一定以上の回動が規制されるという問題があった。
【０００７】
また、支持体の被取付体への取付強度は、掴持部のバネ体の付勢力により左右されるが、取付強度を強くするためにバネ体の付勢力を強く設定した場合には、支持体を被取付体に取り付けるとき、掴持部を操作するために強い力が必要であるという問題があった。
【０００８】
本発明は斯かる事情に鑑みてなされたものであり、屈曲可能な支持部を複数の部材にて構成し、この部材を単純な形状にすることにより、支持部に支持された被支持物の回動が規制されず、製作コストも低い支持具を提供することを目的とする。
【０００９】
また、被係止物に係止する係止部に一端部を取り付けた係止用ベルトを備え、この係止用ベルトを、ベルト固定時に強い力を必要とせず、かつ無段階に固定できる構成とすることにより、係止のために強い力を必要とせず、また、被係止物に係止用ベルトが掛け易く、種々の大きさの被係止物に簡単確実に係止できる支持具を提供することを目的とする。
【００１０】
また、係止部に、被係止物を掴持する掴持部材と、掴持部材を固定するねじ軸とを備えることにより、係止部を被係止物に取り付けるときに強い力を必要とせず、固定が確実にできる支持具を提供することを目的とする。
【００１１】
さらに、日差しを避ける部材を前述の支持具に取り付けることにより、前記部材の位置が自由に変えられ、回動も規制されない日除け器具を提供することを目的とする。
【００１２】
【課題を解決するための手段】
第１発明に係る支持具は、被係止物に係止する係止部に凸設された屈曲可能な支持部の先端部に被支持物を支持する支持具において、一側に雄部が設けられ、他側に雌部が設けられた複数の連結部材を、一の連結部材の前記雄部を他の連結部材の前記雌部に連結して相互に揺動及び回動可能とした屈曲体を前記支持部に備えることを特徴とする。
【００１３】
第１発明においては、複数の連結部材は、相互に揺動及び回動ができ、支持部全体として屈曲及び軸心回りの回動が可能である。連結部材の回動は規制されず、支持部に支持された被支持物の回動も規制されない。
【００１４】
第２発明に係る支持具は、第１発明において、前記雄部は、球状をなしており、前記雌部は、前記雄部の形状に対応した嵌合穴を有しており、該嵌合穴の開口部の内径は、前記雄部の直径より小さく、前記嵌合穴の深さの寸法は、前記雄部の直径より短く、かつ前記雄部の半径より長いことを特徴とする。
【００１５】
第２発明においては、一の連結部材の雄部を、他の連結部材の雌部が有する嵌合穴に圧入して嵌合する。これにより雄部は雌部から外れず、連結部材は相互に揺動及び回動可能となる。連結部材同士の連結は、雄部を雌部に圧入するだけであるから、屈曲体の組立工数は少なく、支持具全体のコストも抑えられる。
【００１６】
第３発明に係る支持具は、第１発明又は第２発明において、一端部を前記係止部に取り付けてあり、他端部に面ファスナを有する係止ベルトを備えることを特徴とする。
【００１７】
第３発明においては、係止部を被係止物に当接し、係止ベルトを被係止物に巻き付け、係止ベルトを面ファスナにより固定する。係止ベルトの一端部は係止部に取り付けられているから、被係止物に係止ベルトを巻き付け易く、面ファスナにより係止ベルトを固定するから、係止ベルトを無段階に固定でき、固定時に強い力を必要としない。
【００１８】
第４発明に係る支持具は、第１発明又は第２発明において、貫通孔が穿設された第１掴持片及び螺合部を有する第２掴持片を備え、前記第１掴持片及び第２掴持片間に前記被係止物を掴持する掴持部材と、一端部が前記貫通孔を挿通して前記第１掴持片に係合しており、他端部が前記螺合部に螺合したねじ軸とを前記係止部に備えることを特徴とする。
【００１９】
第４発明においては、掴持部材により被係止物を掴持して支持具を取り付ける。掴持部材の掴持する力は、ねじ軸を螺合部にねじ込むことにより発生されるから、掴持部材を被係止物に取り付けるときに強い力が不要であるにも拘わらず、掴持部材は確実に被係止物を掴持する。
【００２０】
第５発明に係る日除け器具は、第１発明乃至第４発明の何れかに記載の支持具と、該支持具に支持される遮光板とを備えることを特徴とする。
【００２１】
第５発明においては、遮光板は支持具に支持され、支持具は被係止物に係止される。遮光板の位置及び角度は、支持具の屈曲体を屈曲及び回動することにより自由に変更できる。
【００２２】
【発明の実施の形態】
以下、本発明をその実施の形態を示す図面に基づいて詳述する。
【００２３】
実施の形態１
図１は、実施の形態１の支持具の斜視図であり、図２は、屈曲体の一部の断面図である。
【００２４】
図において１は支持具であり、支持具１は、被係止物に係止する係止部３と、この係止部３に凸設された屈曲可能な支持部２と、係止部３に取り付けられた係止ベルト４とを備えている。
【００２５】
支持部２は、棒状をなした屈曲可能な屈曲体６と、この屈曲体６に連結され、被支持物が組み付けられる組付部５とを有しており、屈曲体６は、複数の連結部材６０，６０，…から構成されている。この連結部材６０，６０，…は、夫々ポリプロピレン製の成型品であり、一側に球状をなす雄部６１が設けられ、他側に雄部６１の形状に対応した嵌合穴６４を有する雌部６２が設けられている。この嵌合穴６４の開口部６５は、連結部材６０，６０，…の他側の端面に設けられ、開口部６５の内径は、嵌合穴６４の内径及び雄部６１の外径よりも適宜の寸法だけ小さくされている。また、嵌合穴６４の深さの寸法は、雄部６１の直径より短く、かつ雄部６１の半径より長くされている。雄部６１及び雌部６２の連結部分の外径は、開口部６５の内径よりも適宜の寸法だけ小さくされている。また、夫々の連結部材６０，６０，…には、適宜の内径を有する肉抜き穴６３が一側の端面に開口して設けられており、この肉抜き穴６３の深さは、雄部６１が設けられた部分に対応している。
【００２６】
このような連結部材６０，６０，…は、一の連結部材６０の雄部６１を他の連結部材６０の雌部６２にある嵌合穴６４に圧入して全数を連結することにより屈曲体６としてある。連結部材６０，６０，…の一側には、肉抜き穴６３が設けられており、外径が小さくなるように雄部６１が弾性変形し易いから、雄部６１を雌部６２に圧入し易い。また、雌部６２の嵌合穴６４は、雄部６１の形状に対応し、嵌合穴６４の開口部６５の内径が、雄部６１の外径よりも小さく、嵌合穴６４の深さの寸法は、雄部６１の直径より短く、かつ雄部６１の半径より長く、雄部６１及び雌部６２の連結部分の外径が、嵌合穴６４の開口部６５の内径よりも小さいから、雌部６２の嵌合穴６４に圧入された雄部６１が外れることもなく、一の連結部材６０と他の連結部材６０とが相互に揺動及び回動でき、屈曲体６全体として屈曲及び軸心回りの回動が可能となる。一の連結部材６０の回動は、他の連結部材６０に対して規制されることもない。また、複数の連結部材６０，６０，…を連結して屈曲体６を構成したから、連結する連結部材６０，６０，…の数を増減すれば、屈曲体６の長さの変更も簡単にできる。
【００２７】
屈曲体６に連結された円筒状の組付部５は、ポリプロピレン製の成型品であり、連結部材６０の雄部６１と略同一形状をなす嵌合凸部（図示せず）を一端部に備え、この嵌合凸部を、屈曲体６の一端に位置する連結部材６０の嵌合穴６４に嵌合してある。また、組付部５の外周面の他端部側には、係止突起５０が設けられており、外周面の係止突起５０の周囲には、切り欠き５１が設けられているから、係止突起５０は、外周面に対して凹むように弾性変形する。
【００２８】
屈曲体６の他端に位置する連結部材６０の雄部６１は、矩形の板状をなした基部３０の一面の中央部に凸設された連結軸３２に連結されている。この連結は、連結軸３２の先端にあり、連結部材６０の嵌合穴６４と略同一形状をなす連結凹部（図示せず）に連結部材６０の雄部６１が嵌合されることによりなされている。基部３０及び連結軸３２はポリプロピレン製の一体成型品であり、基部３０の一面に対向する他面には、矩形の組付凹部（図示せず）が設けてある。この組付凹部には、ポリプロピレン等の合成樹脂よりも摩擦係数が高い合成ゴム等の弾性材料により形成された別体の当接部３１が組み付けられている。当接部３１は、前記組付凹部に対応する断面を有し、適宜の厚さとされたブロック状の部材であり、前記組付凹部に組み付けられる側の逆側の面には、底面が半円状をなす係止溝３３が横切るように形成されている。このような当接部３１は、被係止物に当接され、被係止物との滑りによる支持具１の位置ずれを防止する。これらの連結軸３２、基部３０及び当接部３１により係止部３が構成されている。
【００２９】
基部３０の一面及び他面を構成する一辺の近傍及びこの一辺に対向する他辺の近傍には、貫通孔３４，３４が設けられている。一方の貫通孔３４には、この貫通孔３４を挿通し、基部３０の一部を内側に導入した環状部４０が一端部に設けられた帯状の係止ベルト４が取り付けられている。この係止ベルト４は、面ファスナからなり、雄側突起及び雌側突起が一面側に混在して設けられ、他方の貫通孔３４に他端部を挿通したとき、前記一面側が外向きになるように取り付けられている。このような係止ベルト４により支持具１は、被係止物に係止するときに強い力を必要とせず、簡単確実に係止できるようにしてある。
【００３０】
図３は遮光板を組み付けた支持具１をベビーカーの手押し部に係止した状態を示す使用状態図、図４は遮光板を組み付けた支持具１をグラブレールに係止した状態を示す使用状態図、図５は支持具１の取り付けを説明する係止部３近傍の斜視図である。
【００３１】
以上のように構成された支持具１の組付部５には、例えば、遮光板７が組み付けられ、日除け器具１０となる。遮光板７は、透光性を有するポリプロピレン等の合成樹脂板を矩形になし、紫外線カット加工を施したものである。この遮光板７の一辺の中央部には、組付部５が内嵌される組付筒部７０が連設されており、この組付筒部７０には、組付部５に設けられた係止突起５０の位置、形状及び大きさに対応する係止孔７１が穿設されている。このような遮光板７は、支持具１の組付部５が組付筒部７０に内嵌されることにより係止突起５０が係止孔７１に係止して固定される。
【００３２】
このような日除け器具１０は、図３に示す如く、ベビーカーの手押し部８とか、図４に示す如く、車室内の補助席側上部又は後部座席の上部に設けられたグラブレール９等の被係止物に係止する。この係止は、支持具１の当接部３１に形成された係止溝３３の内部に手押し部８等の被係止物を導入すると共に、係止ベルト４を手押し部８等の被係止物に巻き付け、基部３０の他面側から他方の貫通孔３４に導入して挿通した係止ベルト４の他端部を折り返して係止ベルト４自身に当接することによりなされる。
【００３３】
ベビーカーの手押し部８等の被係止物に係止された日除け器具１０は、屈曲可能な支持部２により遮光板７を支持するから、被係止物への係止位置を変えることなく支持部２の屈曲体６を曲げたり、捩ったりすることによって遮光板７の位置及び角度を自由に変えることができる。また、遮光板７を支持部２の軸心回りに回動させても、この回動が規制されることもない。
【００３４】
実施の形態２
図６は実施の形態２の支持具の正面図であり、図７は図６のＡ−Ａ線による断面図である。実施の形態２の支持具は、実施の形態１の支持具１に対して係止部３の構成が異なり、他の構成は同様のため、同様の構成には同じ参照符号を付し、その構成の詳細な説明及び作用の説明を省略する。
【００３５】
図において１１は支持具であり、支持具１１は、支持部２及び係止部２０を備える。支持部２が有する屈曲体６の他端に位置する連結部材６０の雄部６１は、係止部２０を構成する部材の一つである板状部材２１に設けられた嵌合部２１ｃに嵌め合わされている。
【００３６】
板状部材２１は、板部２１ａに軸部２１ｂが連設されたものであり、軸部２１ｂの一端部には、前述の嵌合部２１ｃが設けられている。この嵌合部２１ｃは、連結部材６０の雌部６２と略同一の形状とされており、前述したように、屈曲体６の他端に位置する連結部材６０の雄部６１が嵌め合わされている。また、板部２１ａの一面には、中央部に挿通孔２１ｄが穿設されている。
【００３７】
板部２１ａの一面側には、長手方向一端がヒンジ２６によって開閉可能に連結され、他端に掴持凹部２７，２７を有する矩形の第１掴持片２２ａ及び第２掴持片２２ｂからなる掴持部材２２が位置しており、第２掴持片２２ｂの第１掴持片２２ａ側の逆側の面が板部２１ａの一面に当接している。第２掴持片２２ｂは、別体のねじ体２５（螺合部）を有しており、このねじ体２５は、板部２１ａの他面側に位置している。第１掴持片２２ａ及び第２掴持片２２ｂの間には、これらを離間方向へ付勢するコイルバネ２４が介在されており、第１掴持片２２ａ及び第２掴持片２２ｂのヒンジ２６及び掴持凹部２７，２７間には貫通孔２２ｃ，２２ｃが穿設されている。この貫通孔２２ｃ，２２ｃ及び板部２１ａの挿通孔２１ｄには、ボルトからなるねじ軸２３が挿通しており、ねじ軸２３の一端部に設けられた頭部２３ａは、第１掴持片２２ａに係合し、ねじ軸２３の他端部は、板部２１ａの他面側に突出してねじ体２５に螺合している。ねじ軸２３及びねじ体２５により掴持部材２２は、板状部材２１に対して回動自在に保持されている。なお、第１掴持片２２ａ及び第２掴持片２２ｂの内側には、合成ゴム等の弾性材料で作製された緩衝板２８，２８が保持されており、係止部２０は、前述した板状部材２１、掴持部材２２、ねじ軸２３、コイルバネ２４、ねじ体２５及び緩衝板２８，２８により構成されている。
【００３８】
以上のように構成された支持具１１は、実施の形態１の支持具１と同様に、遮光板７等の被支持物が組付部５に組み付けられ、係止部２０をベビーカーの手押し部８又は車室内のグラブレール９等の被係止物に係止する。この係止は、掴持部材２２が被係止物を掴持することにより行われる。
【００３９】
掴持部材２２は、ねじ体２５を回動操作することにより、ヒンジ２６を支点として第１掴持片２２ａ及び第２掴持片２２ｂを揺動させることができ、第１掴持片２２ａ及び第２掴持片２２ｂ間の間隔を調節して被係止物を掴持することができるから、支持具１１を被係止物に簡単に取り付けることが可能である。また、掴持部材２２は、ねじ体２５及びねじ軸２３により、板状部材２１に対して回動自在に保持されているから、板状部材２１に連結された支持部２の角度調整ができる。
【００４０】
なお、板部２１ａ及び第２掴持片２２ｂの対接面には、凹凸の菊座２９が設けられており、この菊座２９によって掴持部材２２の回動位置を確実に維持することができるようにしてある。また、ねじ体２５は、第２掴持片２２ｂと別体にされているが、一体に形成してもよい。
【００４１】
以上の実施の形態１又は２では、支持具１，１１の組付部５に遮光板７を組み付けたが、組付部５に組み付ける被支持物は、遮光板７に限らず、種々の物品を組み付けることができ、例えば、組付部５に鏡を組み付けてもよい。鏡が組み付けられた支持具１，１１をベビーカーの手押し部８又はフレームに係止し、ベビーカーを押す人からベビーカーに乗る子供が見えるように鏡の位置を調整すれば、ベビーカーを押す人は、ベビーカーを押しながらでも鏡を見ることにより子供の様子を確認できる。
【００４２】
また、連結部材６０，６０，…、組付部５及び基部３０をポリプロピレン製としたが、連結部材６０，６０，…、組付部５及び基部３０の材料は、ポリプロピレンに限らない。
【００４３】
また、連結部材６０，６０，…、組付部５及び基部３０を成型品としたが、連結部材６０，６０，…、組付部５及び基部３０は成型品に限らず、例えば、切削加工品でもよい。
【００４４】
また、雄部６１を球状とし、雄部６１の形状に対応した嵌合穴６４を雌部６２に有したが、雄部６１及び雌部６２の形状は、これに限らない。
【００４５】
また、係止ベルト４は、雄側突起及び雌側突起が一面側に混在して設けられた面ファスナとしたが、係止ベルト４は、これに限らず、例えば、雄側突起と雌側突起とが混在せず、適宜の範囲に分かれて設けられた面ファスナでもよい。また、係止ベルト４の全てが面ファスナである必要もなく、係止ベルト４の他端部に面ファスナが設けられていればよい。
【００４６】
また、本発明に係る支持具１，１１及び日除け器具１０の形状及び構成は、前述した実施の形態１又は２に限らず、本発明の趣旨を逸脱しない範囲にて変更することも可能であり、日除け器具１０の支持具１は、実施の形態２の支持具１１に変更可能であることは言うまでもない。
【００４７】
さらに、前述の実施の形態１又は２では、本発明に係る支持具１，１１をベビーカーの手押し部８又は車室内のグラブレール９に係止したが、支持具１，１１を係止する場所は、ベビーカーの手押し部８又はグラブレール９に限らない。
【００４８】
【発明の効果】
以上、詳述したように、第１発明に係る支持具は、複数の連結部材が相互に揺動及び回動できるから、支持部全体として屈曲及び軸心回りの回動が可能である。連結部材の回動は規制されないから、支持部に支持された被支持物の回動も規制されない。
【００４９】
また、第２発明に係る支持具は、連結部材同士の連結が圧入によりできるから、屈曲体の組立工数が少なく、支持具全体のコストも抑えられる。
【００５０】
また、第３発明に係る支持具は、面ファスナを有する係止ベルトにより被係止物に係止できるから、被係止物への係止時に強い力を必要とせず、簡単確実に係止できる。
【００５１】
また、第４発明に係る支持具は、掴持部材の掴持片間にて被係止物を掴持することにより取り付けられ、被係止物を掴持する力は、ねじ軸をねじ体にねじ込むことにより発生する。これにより、掴持部材を被係止物に取り付けるときに強い力が不要であるにも拘わらず、掴持部材は確実に被係止物を掴持できる。
【００５２】
さらに、第５発明に係る日除け器具は、遮光板の位置及び角度を自由に変更でき、遮光板の回動も規制されない等、本発明は優れた効果を奏する。
【図面の簡単な説明】
【図１】実施の形態の支持具の斜視図である。
【図２】屈曲体の一部の断面図である。
【図３】遮光板を組み付けた支持具をベビーカーの手押し部に係止した状態を示す使用状態図である。
【図４】遮光板を組み付けた支持具をグラブレールに係止した状態を示す使用状態図である。
【図５】支持具の取り付けを説明する係止部近傍の斜視図である。
【図６】実施の形態の支持具の正面図である。
【図７】図６のＡ−Ａ線による断面図である。
【符号の説明】
１，１１  支持具
２  支持部
３，２０  係止部
４  係止ベルト
６  屈曲体
７  遮光板（被支持物）
８  手押し部（被係止物）
９  グラブレール（被係止物）
１０  日除け器具
２２  掴持部材
２２ａ  第１掴持片
２２ｂ  第２掴持片
２２ｃ  貫通孔
２３  ねじ軸
２５  ねじ体（螺合部）
６０  連結部材
６１  雄部
６２  雌部
６４  嵌合穴
６５  開口部
【図１】
2004322848.tif 000003
【図２】
2004322848.tif 000004
【図３】
2004322848.tif 000005
【図４】
2004322848.tif 000006
【図５】
2004322848.tif 000007
【図６】
2004322848.tif 000008
【図７】
2004322848.tif 000009